(57)【要約】【課題】ノード間の伝送遅延の測定において、誤検出を抑止する。【解決手段】実施形態の伝送装置は、送信部と、測定部と、決定部とを備える。送信部は、対向装置との間の伝送遅延を測定する際に、対向装置へ所定ビットを付加したフレームを、所定ビットのビット列が所定のパターンとなるように複数送信する。測定部は、対向装置へ所定のパターンのビット列を送信したときから、所定のパターンのビット列を対向装置から受信するまでの時間を測定する。決定部は、測定部の測定結果に基づいて、伝送遅延にかかる遅延時間を決定する。【選択図】図１
2016001850.tif 000002
【特許請求の範囲】
【請求項１】
対向装置とフレームを送受信する伝送装置であって、
前記対向装置との間の伝送遅延を測定する際に、前記対向装置へ所定ビットを付加したフレームを、当該所定ビットのビット列が所定のパターンとなるように複数送信する送信部と、
前記対向装置へ前記所定のパターンのビット列を送信したときから、当該所定のパターンのビット列を前記対向装置から受信するまでの時間を測定する測定部と、
前記測定部の測定結果に基づいて、前記伝送遅延にかかる遅延時間を決定する決定部と
を備えることを特徴とする伝送装置。
【請求項２】
前記送信部は、前記所定のパターンのビット列が示す情報にエラーチェック情報を含めて送信し、
前記測定部は、前記エラーチェック情報に基づいて妥当とされた前記所定のパターンのビット列を受信するまでの時間を測定する
請求項１に記載の伝送装置。
【請求項３】
前記送信部は、前記所定のパターンのビット列が示す情報に自装置の制御状態を示す制御情報を含めて送信し、
前記対向装置から受信した前記制御情報に基づいて前記伝送遅延の測定を制御する制御部を更に備える
請求項１又は２に記載の伝送装置。
【請求項４】
前記送信部は、前記制御情報に自装置の伝送遅延の測定にかかる情報を含めて送信し、
前記制御部は、前記対向装置から受信した前記制御情報に含まれる、前記対向装置における伝送遅延の測定にかかる情報に基づいて、自装置の伝送遅延の測定を制御する
請求項３に記載の伝送装置。
【請求項５】
前記送信部は、前記所定のパターンのビット列が示す情報に自装置を識別する識別情報を含めて送信し、
前記制御部は、前記対向装置から受信した前記識別情報に基づいて、当該識別情報により識別される装置と、自装置との間の優先度に応じて前記伝送遅延の測定を制御する
請求項３又は４に記載の伝送装置。
【請求項６】
対向装置とフレームを送受信する伝送装置において前記対向装置との間の伝送遅延を測定する遅延測定方法であって、
前記対向装置との間の伝送遅延を測定する際に、前記対向装置へ所定ビットを付加したフレームを、当該所定ビットのビット列が所定のパターンとなるように複数送信し、
前記対向装置へ前記所定のパターンのビット列を送信したときから、当該所定のパターンのビット列を前記対向装置から受信するまでの時間を測定し、
前記測定部の測定結果に基づいて、前記伝送遅延にかかる遅延時間を決定する
ことを特徴とする遅延測定方法。
【発明の詳細な説明】
【技術分野】
【０００１】
本発明の実施形態は、伝送装置および遅延測定方法に関する。
【背景技術】
【０００２】
従来、フレーム単位でデータを伝送する光伝送システムにおいて、データ伝送の信頼性を確認するために、ノード間で伝送遅延の測定（ＤＭ：Delay  Measurement）が行われる。このようなＤＭ測定は、光伝送システムの運用中に実施されることが好ましい。
【０００３】
ＤＭ測定については、ＩＴＵ−Ｔ  Ｇ．７０９規格にｄｅｌａｙ  ｍｅａｓｕｒｅｍｅｎｔに関する記述がある。この規格では、ＯＴＮ（Optical  Transport  Network）フレーム中の１ｂｉｔを使用してＤＭ測定を行っている。具体的には、通常時、ＯＴＮ終端局では、遅延測定用のｂｉｔをＬｏｏｐｂａｃｋさせておく。そして、遅延測定開始時、ＯＴＮ終端局は、受信している遅延測定用のｂｉｔを反転させて送信する。その後、ｂｉｔ反転したデータを例えば３フレーム連続で受信した場合、ＯＴＮ終端局は、送信フレームが伝送路を往復して戻ってきたと判断する。この時の送信から受信までのフレーム数により、ＯＴＮ終端局は遅延時間を算出する。
【先行技術文献】
【特許文献】
【０００４】
【特許文献１】特開２０１３−１５３３６７号公報
【発明の概要】
【発明が解決しようとする課題】
【０００５】
しかしながら、上記の従来技術では、ＤＭ測定において遅延時間が誤検出されることがあった。例えば、信号擾乱が発生した際には、遅延測定用のｂｉｔが逆に反転されてしまい、遅延時間の誤検出となる場合がある。また、ＯＴＮ終端局の各々は自立して動作していることから、自局と対向する対向局でもＤＭ測定が開始されて競合が発生した場合、対向局が送信したフレームで遅延時間を算出してしまい、遅延時間の誤検出となる場合がある。
【０００６】
一つの側面では、ノード間の伝送遅延の測定において、誤検出を抑止できる伝送装置および遅延測定方法を提供することにある。
【課題を解決するための手段】
【０００７】
一つの態様では、対向装置とフレームを送受信する伝送装置であって、送信部と、測定部と、決定部とを備える。送信部は、対向装置との間の伝送遅延を測定する際に、対向装置へ所定ビットを付加したフレームを、所定ビットのビット列が所定のパターンとなるように複数送信する。測定部は、対向装置へ所定のパターンのビット列を送信したときから、所定のパターンのビット列を対向装置から受信するまでの時間を測定する。決定部は、測定部の測定結果に基づいて、伝送遅延にかかる遅延時間を決定する。
【発明の効果】
【０００８】
一つの側面として、ノード間の伝送遅延の測定において、誤検出を抑止できる。
【図面の簡単な説明】
【０００９】
【図１】図１は、第１の実施形態の伝送装置の構成を例示するブロック図である。
【図２】図２は、ＯＴＮフレームの構成を説明する説明図である。
【図３】図３は、ＤＭ送信データの構成を説明する説明図である。
【図４】図４は、第１の実施形態の伝送装置の動作の一例を示すフローチャートである。
【図５】図５は、第１の実施形態の伝送装置の動作例を説明する説明図である。
【図６−１】図６−１は、第１の実施形態の伝送装置の動作例を説明する説明図（１）である。
【図６−２】図６−２は、第１の実施形態の伝送装置の動作例を説明する説明図（２）である。
【図７−１】図７−１は、第１の実施形態の伝送装置の動作例を説明する説明図（１）である。
【図７−２】図７−２は、第１の実施形態の伝送装置の動作例を説明する説明図（２）である。
【図８】図８は、第２の実施形態の伝送装置の動作の一例を示すフローチャートである。
【図９−１】図９−１は、第２の実施形態の伝送装置の動作例を説明する説明図（１）である。
【図９−２】図９−２は、第２の実施形態の伝送装置の動作例を説明する説明図（２）である。
【図１０−１】図１０−１は、第２の実施形態の伝送装置の動作例を説明する説明図（１）である。
【図１０−２】図１０−２は、第２の実施形態の伝送装置の動作例を説明する説明図（２）である。
【図１１−１】図１１−１は、第２の実施形態の伝送装置の動作例を説明する説明図（１）である。
【図１１−２】図１１−２は、第２の実施形態の伝送装置の動作例を説明する説明図（２）である。
【発明を実施するための形態】
【００１０】
以下、図面を参照して、実施形態にかかる伝送装置および遅延測定方法を説明する。実施形態において同一の機能を有する構成には同一の符号を付し、重複する説明は省略する。なお、以下の実施形態で説明する伝送装置および遅延測定方法は、一例を示すに過ぎず、実施形態を限定するものではない。また、以下の各実施形態は、矛盾しない範囲内で適宜組みあわせてもよい。
【００１１】
（第１の実施形態）
図１は、第１の実施形態の伝送装置１０の構成を例示するブロック図である。図１に示すように、伝送装置１０は、光ファイバ等の伝送路１０１を介してネットワーク１００と接続するノードである。ネットワーク１００は、伝送路１０１を介して伝送装置１０と対向するノードである対向装置１０Ａを有する。伝送装置１０は、対向装置１０Ａへ所定の構造のフレームを送信すると共に、伝送装置１０からのフレームを受信する。
【００１２】
伝送装置１０は、ＭＣＵ（Micro  Controller  Unit）等の上位装置２０の指示をもとに、フレームの送受信を行う。例えば、伝送装置１０は、上位装置２０より対向装置１０Ａとの間の伝送遅延の測定（ＤＭ測定）についての遅延測定指示があった場合、対向装置１０Ａとのフレームの送受信によりＤＭ測定を行う。次いで、伝送装置１０は、測定した遅延時間を遅延測定結果として上位装置２０に返す。ここで、ＤＭ測定における遅延時間は、実質的には、伝送路１０１上での信号（光信号）の伝搬時間に相当する。ただし、遅延時間には、伝送装置１０、対向装置１０Ａ内での処理時間などが含まれてもよい。
【００１３】
例えば、ＤＭ測定において、伝送装置１０は、対向装置１０Ａへフレームを送信する。対向装置１０Ａは、伝送装置１０より受信したフレーム内の所定の情報を伝送装置１０へ返送（すなわち、ループバック）する。そして、伝送装置１０は、対向装置１０Ａへフレームを送信した時刻から、そのフレームが対向装置１０Ａから戻ってくるまでの時間をもとに遅延時間を測定する。
【００１４】
なお、本実施形態の伝送装置１０および対向装置１０Ａを含む伝送システムは、特に限定されるものではないが、ＯＴＮ規格に従うフレームを伝送するものとする。ＯＴＮ規格については、ＩＴＵ−Ｔ  Ｇ．７０９／Ｙ．１３３１に記載されている。なお、以下の記載では、ＯＴＮ規格に従うフレームを「ＯＴＮフレーム」または単に「フレーム」と呼ぶことがある。
【００１５】
図２は、ＯＴＮフレームの構成を説明する説明図である。ＯＴＮフレームは、図２に示すように、オーバヘッド（ｏｖｅｒｈｅａｄ）およびＯＰＵｋペイロード（ｐａｙｌｏａｄ）を有する。クライアントデータは、ＯＰＵｋペイロードに格納される。さらに、ＯＴＮフレームは、図示しないが、ＯＰＵｋペイロードの後に誤り訂正符号を有するようにしてもよい。
【００１６】
オーバヘッドは、フレームアラインメントオーバヘッド、ＯＴＵｋオーバヘッド、ＯＤＵｋオーベヘッド、ＯＰＵｋオーバヘッドを有する。ここで、ＯＰＵｋペイロードにＯＰＵｋオーバヘッドを付与することにより、ＯＰＵｋフレームが形成される。また、ＯＰＵｋフレームにＯＤＵｋオーバヘッドを付与することにより、ＯＤＵｋフレームが形成される。ＯＤＵｋオーバヘッドは、Ｒｏｗ＃２〜＃４、Ｃｏｌｕｍｎ＃１〜＃１４に配置される。さらに、ＯＤＵｋフレームにＯＴＵｋオーバヘッドおよびフレームアラインメントオーバヘッドが付与される。なお、略語は、以下の通りである。
ＯＴＵ：Optical  channel  Transport  Unit
ＯＤＵ：Optical  channel  Data  Unit
ＯＰＵ：Optical  channel  Payload  Unit
【００１７】
ＯＴＮにおいては、ＯＤＵｋオーバヘッドの中のＰＭ＆ＴＣＭを利用して、伝送装置１０間のＤＭ測定を行うことができる。ＰＭ＆ＴＣＭは、ＯＴＮフレームのＲｏｗ＃２、Ｃｏｌｕｍｎ＃３に配置されている。ＰＭ＆ＴＣＭの第１〜第６ビットは、それぞれＤＭｔ１〜ＤＭｔ６として使用される。ＰＭ＆ＴＣＭの第７ビットは、ＤＭｐとして使用される。ＰＭ＆ＴＣＭの第８ビットは、未使用である。
【００１８】
なお、図２に記載されている主な略語は、以下の通りである。
ＰＭ：Path  Monitoring
ＴＣＭ：Tandem  Connection  Monitoring
ＲＥＳ：Reserved  for  future  international  standardization
ＡＣＴ：Activation/deactivation  control  channel
ＦＴＦＬ：Fault  Type  &  Fault  Location  coordination  channel
ＥＸＰ：Experimental
ＧＣＣ：General  Communication  Channel
ＡＰＳ：Automatic  Protection  Switching  coordination  channel
ＰＣＣ：Protection  Communication  Control  channel
ＤＭ：Delay  Measurement
【００１９】
図１に戻り、伝送装置１０は、測定制御部１１、送信データ生成部１２、セレクター１３、送信部１４、受信部１５、抽出部１６、パターンチェック部１７および遅延時間測定部１８を有する。
【００２０】
測定制御部１１は、伝送装置１０の動作を制御する。具体的には、測定制御部１１は、上位装置２０より遅延測定指示があった場合、対向装置１０Ａとのフレームの送受信によるＤＭ測定を制御する。測定制御部１１は、ＣＰＵ（Central  Processing  Unit）、ＲＯＭ（Read  Only  Memory）、ＲＡＭ（Random  Access  Memory）などを有している。測定制御部１１では、ＣＰＵがＲＯＭに記憶されたプログラムをＲＡＭに展開して順次実行することで、ＤＭ測定を制御する。
【００２１】
送信データ生成部１２は、ネットワーク１００へ送信する送信データである、図２に例示したＯＴＮフレームを測定制御部１１の制御のもとで生成する。このとき、送信データ生成部１２は、測定制御部１１の指示にしたがって、ＯＴＮフレームの所定ビットを設定（付加）する。例えば、ＤＭ測定を行う場合は、ＤＭビットを設定する。ＤＭビットは、ＯＴＮフレームにおいては、Ｒｏｗ＃２、Ｃｏｌｕｍｎ＃３の１ｂｙｔｅ中の１ｂｉｔであり、ＯＤＵｋオーバーヘッド内のＤＭｔ１〜ＤＭｔ６ビットまたはＤＭｐビットに相当する。
【００２２】
ここで、送信データ生成部１２は、測定制御部１１の制御のもとＤＭ測定を行う場合、ＤＭビットを複数フレーム間にわたって送信した際に、送信したＤＭビットのビット列が所定のパターンとなるように各フレームのＤＭビットを設定する。これにより、伝送装置１０は、ＤＭビットを複数フレームにわたって送信することで、複数フレームにわたるＤＭビットのビット列によるＤＭ送信データを送信する。
【００２３】
図３は、ＤＭ送信データの構成を説明する説明図である。図３に示すように、ＤＭ送信データ（以下、ＤＭデータと呼ぶ）ＤＭ１、ＤＭ２は、複数のＯＴＮ  ＦｒａｍｅのＤＭビット値（「１」又は「０」）を並べた構成である。このＤＭデータ（ＤＭ１、ＤＭ２）は、制御情報、ユニット識別情報、順序番号、ＣＲＣ（Cyclic  Redundancy  Check）を含む。
【００２４】
制御情報は、自装置の制御状態を示す情報であり、例えば、ＤＭ測定に関する制御状態を示す情報であってよい。ここで、ＤＭ測定に関する制御状態としては、ＤＭ測定の開始、ＤＭ測定の終了、ＤＭ測定に関するＡｃｋ送信、ＤＭ測定中、ＤＭ測定を行うためのループバック要求中などであってよい。また、制御情報は、上述した制御状態に対応するコード（例えば「ＡＡ５５」など）などであってもよい。
【００２５】
以後、制御情報におけるＤＭ測定の開始を示すコードのパターンを、ＤＭ開始パターンと呼ぶ。以下同様に、ＤＭ測定の終了を示すコードのパターンをＤＭ終了パターンと呼ぶ。また、ＤＭ測定に関するＡｃｋ送信を示すコードのパターンをＡｃｋパターンと呼ぶ。また、ＤＭ測定中を示すコードのパターンをＤＭ測定パターンと呼ぶ。また、ＤＭ測定を行うためのループバック要求中を示すコードのパターンをループバック要求パターンと呼ぶ。
【００２６】
ユニット識別情報は、送信元である伝送装置１０を識別するための装置固有のパターンなどであってよい。例えば、ユニット識別情報は、ユニット種別を示す型番やシリアル番号の組み合わせなどであってよい。また、Ｍｕｘｐｏｎｄｅｒ等では、ユニット識別情報にＰｏｒｔ番号を含めてもよい。受信側では、ユニット識別情報を参照することで、フレームの送信元を識別することができる。
【００２７】
順序番号は、制御情報、ユニット識別情報、順序番号、ＣＲＣを一つの塊として送信するＤＭデータＤＭ１、ＤＭ２の送信順序を特定するための情報である。なお、順序番号には、単なる順番だけでなく、ユニークな送信番号として、送信時刻などを用いてもよい。この順序番号は、ＤＭ測定において、例えば、ＤＭデータＤＭ１、ＤＭ２が欠落した場合に、正しい遅延時間を測定するために必要となる。
【００２８】
ＣＲＣは、ＤＭデータＤＭ１、ＤＭ２の妥当性を判断するためのチェックデータである。受信側では、ＣＲＣを参照することで、受信されたＤＭデータＤＭ１、ＤＭ２に誤りがなく、妥当であるか否かを判断することができる。なお、誤り検出を行うＣＲＣの代わりに、誤り検出・誤り訂正を行うことが可能な巡回符号等を用いてもよい。
【００２９】
ＤＭデータＤＭ１、ＤＭ２の送信方法としては、図示例のように、８フレームで１文字を表すこととしてよく、アスキーコードを使用することにより、任意の文字を送信してもよい。この場合、送信文字数×８フレーム分のフレーム数を使用して、ＤＭデータＤＭ１、ＤＭ２を送信することになる。例えば、先頭から３２フレーム分のＤＭビットを用いることで、「ＡＡ５５」等の制御情報を送信できる。
【００３０】
セレクター１３は、測定制御部１１の制御のもと、送信データ生成部１２で生成されたＯＴＮフレームを送信部１４へ出力する。このとき、セレクター１３は、ネットワーク１００より受信したフレーム内の所定の情報を、送信データ生成部１２で生成されたＯＴＮフレームに設定して送信部１４へ出力することで、ループバックする。例えば、セレクター１３は、自装置である伝送装置１０がＤＭ測定を行っていない時には、抽出部１６より抽出されたフレームのＤＭビットの値を、送信フレームのＤＭビットに設定する。すなわち、ＤＭビットのループバックが行われる。このループバックにより、例えば、対向装置１０Ａは、ＤＭ測定を行う場合に、所定のＤＭビットを設定したフレームを送信し、伝送装置１０よりループバックされたフレームを受信することで、遅延時間を測定できる。
【００３１】
送信部１４は、セレクター１３より出力されたＯＴＮフレームを、順番に、一定の間隔でネットワーク１００へ出力する。このとき、送信部１４は、例えば、フレームをデータ列に変換し、そのデータ列を示す光信号をネットワーク１００の対向装置１０Ａへ送信する。なお、送信部１４は、光変調器などを含む。
【００３２】
受信部１５は、ネットワーク１００を介してフレームを受信する。このとき、受信部１５は、例えば、受信光信号を復調してデータ列を再生し、そのデータ列からフレームを再構成する。そして、受信部１５は、受信光信号から再構成したフレーム（受信フレーム）を抽出部１６へ出力する。
【００３３】
抽出部１６は、受信部１５より出力された受信フレームに含まれる各種情報を抽出する。抽出した各種情報はセレクター１３およびパターンチェック部１７へ出力される。例えば、抽出部１６は、受信フレームより所定ビットの値（例えば、ＤＭビットの値）を抽出して、セレクター１３およびパターンチェック部１７へ出力する。
【００３４】
パターンチェック部１７は、抽出部１６により受信フレームより抽出された情報をチェックし、チェック結果を測定制御部１１および遅延時間測定部１８に出力する。具体的には、パターンチェック部１７は、複数の受信フレームにわたって抽出されたＤＭビットのビット列によるＤＭデータをチェックする。例えば、パターンチェック部１７は、ＤＭデータの制御情報に基づいた送信元の制御状態のチェック、ユニット識別情報に基づいた送信元のチェックを行う。また、パターンチェック部１７は、順番番号に基づいたＤＭデータの送信順序のチェック、ＣＲＣに基づいたＤＭデータのエラーチェックを行う。
【００３５】
伝送装置１０では、ＤＭ測定を行う場合、複数フレームにわたるＤＭビットのビット列により制御情報、ユニット識別情報、順序番号、ＣＲＣを含むＤＭデータを送信している。したがって、パターンチェック部１７によりＤＭデータをチェックすることで、自装置が送信したＤＭデータを識別することができる。
【００３６】
遅延時間測定部１８は、パターンチェック部１７のチェック結果をもとに、対向装置１０ＡへＤＭデータを送信したときから、そのＤＭデータを対向装置１０Ａから受信するまでの遅延時間を測定する。例えば、遅延時間測定部１８は、ＤＭデータの最終フレームの送信から、その最終フレームの受信までの遅延時間を測定する。このように、伝送装置１０では、ＤＭ測定を行う場合に、複数フレームにわたるＤＭビットのビット列によるＤＭデータを用いて識別することで、伝送路１０１中の信号擾乱や、対向装置１０ＡとのＤＭ測定の競合などによる誤検出を抑止できる。
【００３７】
例えば、遅延時間測定部１８は、パターンチェック部１７により自装置が送信したＤＭデータを識別し、そのＤＭデータの送信から受信までの遅延時間を測定することで、対向装置１０ＡとのＤＭ測定の競合による誤検出を抑止できる。また、遅延時間測定部１８は、パターンチェック部１７によるＣＲＣのエラーチェックでエラーが検出されず、妥当とされたＤＭデータをもとに、そのＤＭデータの送信から受信までの遅延時間を測定することで、伝送路１０１中の信号擾乱による誤検出を抑止できる。
【００３８】
遅延時間測定部１８により測定された遅延時間は、測定制御部１１に出力される。測定制御部１１は、遅延時間測定部１８が測定した遅延時間をもとに、ＤＭ測定の測定結果（遅延測定結果）を決定し、上位装置２０へ通知する。
【００３９】
図４は、第１の実施形態の伝送装置（１０、１０Ａ）の動作の一例を示すフローチャートである。図４に示すように、処理が開始されると、測定制御部１１は、上位装置２０からの遅延測定指示である、ＤＭ測定開始要求の有無を判定する（Ｓ１）。ＤＭ測定開始要求が無い場合（Ｓ１：ＮＯ）、測定制御部１１は処理を待機する。この処理の待機中は、ＤＭ測定を行わないことから、抽出部１６より抽出されたフレームのＤＭビットの値が、送信フレームのＤＭビットに設定され、ループバックされる。
【００４０】
ＤＭ測定開始要求がある場合（Ｓ１：ＹＥＳ）、測定制御部１１は、パターンチェック部１７の出力をもとに、自装置が受信したＤＭデータが正常なものであるか否かを判定する（Ｓ２）。この判定は、制御情報、ユニット識別情報、順序番号、ＣＲＣなどを含む、自装置又は対向装置１０Ａが送信したＤＭデータを受信できたか否かを判定するものである。したがって、自装置又は対向装置１０ＡがＤＭデータを送っておらず、不定値となっている場合には、否定（ＮＯ）の判定となる。
【００４１】
自装置が受信したＤＭデータが正常なものである場合（Ｓ２：ＹＥＳ）、測定制御部１１は、受信したＤＭデータがＤＭ終了パターンを含むか否かを判定する（Ｓ３）。ＤＭ終了パターンを含む場合（Ｓ３：ＹＥＳ）、ＤＭ測定が終了していることから、測定制御部１１はＳ５へ処理を進める。
【００４２】
ＤＭ終了パターンを含まない場合（Ｓ３：ＮＯ）、測定制御部１１は、自装置（自局）でのＤＭ測定を一時停止とし（Ｓ４）、Ｓ２へ処理を戻す。自装置が受信したＤＭデータが正常であるが、そのＤＭデータにおいてＤＭ終了パターンを含まない場合は、対向装置１０ＡでＤＭ測定の準備やＤＭ測定を行っていることとなる。このような場合、測定制御部１１は、Ｓ４の処理を経て、自装置（自局）でのＤＭ測定を保留する。
【００４３】
自局が受信したＤＭデータが正常なものでない場合（Ｓ２：ＮＯ）およびＤＭ終了パターンを含む場合（Ｓ３：ＹＥＳ）、測定制御部１１は、セレクター１３でのループバック（Ｌｏｏｐｂａｃｋ）を解除させ、ＤＭ測定のためのＤＭデータの送信を開始させる（Ｓ５）。
【００４４】
次いで、測定制御部１１は、Ｓ２と同様に、自局が受信したＤＭデータが正常なものであるか否かを判定する（Ｓ６）。自局が受信したＤＭデータが正常なものでない場合（Ｓ６：ＮＯ）、測定制御部１１は、Ｓ５において開始したＤＭデータが戻ってきていないことから、処理を待機する。
【００４５】
自局が受信したＤＭデータが正常なものである場合（Ｓ６：ＹＥＳ）、測定制御部１１は、受信したＤＭデータが自局が送信元のものであるか否かを判定する（Ｓ７）。具体的には、測定制御部１１は、受信したＤＭデータのユニット識別情報が示すユニット番号と、自装置のユニット番号とが一致するか否かを判定する。
【００４６】
受信したＤＭデータが自局が送信元のものである場合（Ｓ７：ＹＥＳ）、自局が送信したＤＭデータが戻ってきたことから、測定制御部１１は、遅延時間測定部１８が測定した遅延時間をもとに、実際の遅延時間を算出する（Ｓ８）。例えば、測定制御部１１は、遅延時間測定部１８が測定した遅延時間の他に要した処理時間などを考慮して実際の遅延時間を算出し、その算出した時間をＤＭ測定の測定結果として上位装置２０へ出力する。
【００４７】
次いで、測定制御部１１は、ＤＭ終了パターンを含むＤＭデータを送信させ（Ｓ９）、セレクター１３でのループバック（Ｌｏｏｐｂａｃｋ）を設定する（Ｓ１０）。
【００４８】
受信したＤＭデータが自局が送信元のものでない場合（Ｓ７：ＮＯ）、対向装置１０Ａ（他局）が送信したＤＭデータが届いたことから、測定制御部１１は、自局と他局とでどちらが優先度が高いかを判定する優先度チェックを行う（Ｓ１１）。
【００４９】
具体的には、測定制御部１１は、受信したＤＭデータのユニット番号をもとに、優先度の高い局としてメモリなどに予め設定された情報を参照して、優先度の判定を行う。例えば、優先度の高い局のユニット番号が予め設定されている場合には、受信したＤＭデータのユニット番号がメモリ設定のものと一致するか否かを判定する。また、優先度の高い局の条件を示す情報（自局優先、他局優先など）が設定されている場合には、受信したＤＭデータのユニット番号が設定された条件を満たすか否かを判定する。
【００５０】
自局の方が優先度が高く、自局を優先する場合（Ｓ１１：自局優先）、測定制御部１１は、Ｓ６に処理を戻し、自局におけるＤＭ測定を継続する。これにより、自局と他局とでＤＭ測定の競合が生じた場合であっても、優先度の高い自局でのＤＭ測定を継続できる。
【００５１】
他局の方が優先度が高く、他局を優先する場合（Ｓ１１：他局優先）、測定制御部１１は、自局でのＤＭ測定を中断するため、セレクター１３でのＤＭビットのループバック（Ｌｏｏｐｂａｃｋ）を設定する（Ｓ１２）。これにより、自局と他局とでＤＭ測定の競合が生じた場合であっても、優先度の高い他局でのＤＭ測定を継続できる。
【００５２】
次いで、測定制御部１１は、Ｓ２と同様に、自局が受信したＤＭデータが正常なものであるか否かを判定する（Ｓ１３）。自局が受信したＤＭデータが正常なものである場合（Ｓ１３：ＹＥＳ）、測定制御部１１は、受信したＤＭデータがＤＭ終了パターンを含むか否かを判定する（Ｓ１４）。ＤＭ終了パターンを含まない場合（Ｓ１４：ＮＯ）、測定制御部１１は、他局でのＤＭ測定が継続中であることから、Ｓ１３へ処理を戻す。
【００５３】
自局が受信したＤＭデータが正常なものでない場合（Ｓ１３：ＮＯ）およびＤＭ終了パターンを含む場合（Ｓ１４：ＹＥＳ）、他局でのＤＭ測定が終了していることから、測定制御部１１はＳ５へ処理を進める。これにより、他局でのＤＭ測定終了後は自局でのＤＭ測定が行われることとなる。
【００５４】
ここで、第１の実施形態にかかる伝送装置１０の動作例を各ケースに沿って説明する。まず、伝送装置１０でＤＭ測定が行われ、対向装置１０ＡではＤＭ測定が行われないケースを説明する。
【００５５】
図５は、第１の実施形態の伝送装置（１０、１０Ａ）の動作例を説明する説明図である。図５に示すように、伝送装置１０にＤＭ測定開始要求Ｒ１がある前（Ｓ１０１）では、伝送装置１０、対向装置１０Ａにおいて送受信されるフレームＦ１のＤＭビットはループバック状態となっている。そして、フレームＦ１は、ＤＭデータの設定が行われていないことから、ＤＭビットが不定値となっている。
【００５６】
次いで、伝送装置１０は、上位装置２０からのＤＭ測定開始要求Ｒ１により、ＤＭデータに関するフレームＦ２を伝送路１０１上に順次送信する（Ｓ１０２）。ここで、複数のフレームＦ２によるＤＭデータは、制御情報、ユニット識別情報、順序番号、ＣＲＣを含むものであり、制御情報はＤＭ測定パターンとする。また、伝送装置１０では、ＤＭビットのループバックを解除する。
【００５７】
次いで、伝送装置１０は、ＤＭデータに関するフレームＦ２を対向装置１０Ａから受信した時に、そのＤＭデータの送信から受信までの遅延時間を算出する（Ｓ１０３）。例えば、この遅延時間は、ＤＭデータの送信から受信までのフレーム数などにより算出してもよい。
【００５８】
遅延時間算出後のＤＭ測定終了後に、伝送装置１０は、制御情報をＤＭ終了パターンとしたＤＭデータに関するフレームＦ３を順次送信する（Ｓ１０４）。そして、伝送装置１０は、ＤＭデータに関する複数のフレームＦ３を送信し終わったところで、ＤＭビットのループバックを設定する（Ｓ１０５）。
【００５９】
図５で示したケースでは、対向装置１０Ａでは特別な処理は行わない。よって、対向装置１０Ａが、ＤＭビットのループバックを継続する規格どおりに動作するものであれば、上述したフローチャートの動作をサポートしていない場合であっても、伝送装置１０はＤＭ測定を行うことができる。
【００６０】
次に、伝送装置１０でＤＭ測定中に、対向装置１０Ａで上位装置２０よりＤＭ測定開始要求Ｒ２があるケースを説明する。図６−１、図６−２は、第１の実施形態の伝送装置（１０、１０Ａ）の動作例を説明する説明図（１）、（２）である。
【００６１】
図６−１、図６−２に示すように、伝送装置１０ではＤＭ測定中であり、対向装置１０Ａは、伝送装置１０が送信したＤＭデータに関するフレームＦ２を受信しているものとする（Ｓ１１０）。
【００６２】
この時、上位装置２０より対向装置１０ＡにＤＭ測定開始要求Ｒ２があった場合（Ｓ１１１）、対向装置１０Ａでは、伝送装置１０からのＤＭデータを受信中であるため、ＤＭ測定を開始せず、ＤＭビットのループバックを維持する。
【００６３】
次いで、伝送装置１０は、ＤＭデータに関するフレームＦ２を対向装置１０Ａから受信した時に、そのＤＭデータの送信から受信までの遅延時間を算出する（Ｓ１１２）。そして、遅延時間算出後のＤＭ測定終了後に、伝送装置１０は、制御情報をＤＭ終了パターンとしたＤＭデータに関するフレームＦ３を順次送信する（Ｓ１１３）。
【００６４】
そして、伝送装置１０は、ＤＭデータに関する複数のフレームＦ３を送信し終わったところで、ＤＭビットにループバックを設定する。また、対向装置１０Ａは、ＤＭ終了パターンとしたＤＭデータに関するフレームＦ３を受信したところで、ループバックを解除し、ＤＭデータに関するフレームＦ４を伝送路１０１上に順次送信する（Ｓ１１４）。ここで、複数のフレームＦ４によるＤＭデータは、制御情報、ユニット識別情報、順序番号、ＣＲＣを含むものであり、制御情報はＤＭ測定パターンとする。
【００６５】
以後、伝送装置１０と同様、対向装置１０ＡでもＤＭ測定の処理を行う。具体的には、対向装置１０Ａは、ＤＭデータに関するフレームＦ４を伝送装置１０から受信した時に、そのＤＭデータの送信から受信までの遅延時間を算出する（Ｓ１１５）。そして、ＤＭ測定終了後に、対向装置１０Ａは、制御情報をＤＭ終了パターンとしたＤＭデータに関するフレームＦ５を順次送信する（Ｓ１１６）。次いで、対向装置１０Ａは、ＤＭデータに関する複数のフレームＦ５を送信し終わったところで、ＤＭビットのループバックを設定する（Ｓ１１７）。
【００６６】
このように、伝送装置１０でＤＭ測定中に、対向装置１０Ａで上位装置２０よりＤＭ測定開始要求Ｒ２があったとしても、伝送装置１０からのＤＭデータの制御情報をもとに対向装置１０Ａ側ではＤＭ測定を待機できる。そして、対向装置１０Ａは、伝送装置１０のＤＭ測定が終了したところで、ＤＭ測定を開始できる。
【００６７】
次に、伝送装置１０と、対向装置１０ＡとにＤＭ測定開始要求Ｒ２があり、同時にＤＭ測定が開始されたケースを説明する。図７−１、図７−２は、第１の実施形態の伝送装置（１０、１０Ａ）の動作例を説明する説明図（１）、（２）である。
【００６８】
図７−１、図７−２に示すように、伝送装置１０と、対向装置１０Ａとは、略同時にＤＭ測定開始要求Ｒ１、Ｒ２があり、両局でＤＭ測定が開始されているものとする（Ｓ１２０）。この時、両局では、ＤＭ測定が開始されていることから、ＤＭビットのループバックが解除されている。また、優先度は、伝送装置１０側が高く設定されているものとする。
【００６９】
ＤＭ測定を開始後、伝送装置１０には対向装置１０ＡのＤＭデータに関するフレームＦ４が届き、対向装置１０Ａには伝送装置１０のＤＭデータに関するフレームＦ２が届く（Ｓ１２１）。ここで、伝送装置１０、対向装置１０Ａの両局は、受信したＤＭデータのユニット番号をもとに、優先度を判断する。
【００７０】
今回のケースでは、伝送装置１０の方が優先度が高く設定されていることから、伝送装置１０側のＤＭ測定が継続される。そして、対向装置１０Ａ側では、ＤＭ測定が中断されて、ＤＭビットのループバックが設定される。
【００７１】
次いで、Ｓ１１２、Ｓ１１３と同様に、伝送装置１０側のＤＭ測定が行われる（Ｓ１２２、Ｓ１２３）。そして、伝送装置１０側のＤＭ測定が終わったところで、Ｓ１１４〜Ｓ１１７と同様に、対向装置１０Ａ側のＤＭ測定が行われる（Ｓ１２４〜Ｓ１２７）。
【００７２】
このように、伝送装置１０と対向装置１０Ａとで、同時にＤＭ測定が開始されたとしても、互いに競合することなく、伝送装置１０からのＤＭデータのユニット識別情報をもとに優先度の高い順にＤＭ測定を行うことができる。
【００７３】
（第２の実施形態）
上述した第１の実施形態では、ＤＭ測定中に対向装置１０Ａとの競合が生じた場合に、協調して一方ずつがＤＭ測定を行う動作を例示した。しかしながら、伝送装置１０と、対向装置１０Ａとの協調は、ＤＭ測定の前であってもよい。第２の実施形態では、伝送装置１０と、対向装置１０ＡとがＤＭ測定の開始時に、互いに協調した後にＤＭ測定を実行する場合を例示する。
【００７４】
図８は、第２の実施形態の伝送装置（１０、１０Ａ）の動作の一例を示すフローチャートである。図８に示すように、処理が開始されると、測定制御部１１は、対向局（伝送装置１０の場合の対向装置１０Ａ）より、ＤＭ処理開始のＤＭデータの受信の有無を判定する（Ｓ２０）。具体的には、測定制御部１１は、受信したＤＭデータがＤＭ開始パターンを含むか否かを判定する。
【００７５】
ＤＭ処理開始のＤＭデータの受信がある場合（Ｓ２０：ＹＥＳ）、対向局でＤＭ測定が開始されることから、測定制御部１１は、セレクター１３でのＤＭビットのループバックを解除させる。そして、測定制御部１１は、対向局に、ＤＭ処理開始のＤＭデータに対するＡｃｋを通知する（Ｓ２１）。具体的には、測定制御部１１は、Ａｃｋパターンを含むＤＭデータを対向局である対向装置１０Ａに送信させる。
【００７６】
次いで、測定制御部１１は、対向局よりループバック要求の受信があったか否かを判定する（Ｓ２２）。具体的には、測定制御部１１は、受信したＤＭデータがループバック要求パターンを含むか否かを判定する。対向局よりループバック要求の受信がない場合（Ｓ２２：ＮＯ）、測定制御部１１は処理を待機する。
【００７７】
対向局よりループバック要求の受信がある場合（Ｓ２２：ＹＥＳ）、測定制御部１１は、セレクター１３でのＤＭビットのループバックを実施する（Ｓ２３）。これにより、対向局の対向装置１０ＡではＤＭ測定を行うことができる。
【００７８】
次いで、測定制御部１１は、対向局からＤＭ処理終了のＤＭデータの受信の有無を判定する（Ｓ２４）。具体的には、測定制御部１１は、受信したＤＭデータがＤＭ終了パターンを含むか否かを判定する。ＤＭ処理終了のＤＭデータの受信がない場合（Ｓ２４：ＮＯ）、対向局でのＤＭ測定が継続中であることから、測定制御部１１は処理を待機する。ＤＭ処理終了のＤＭデータの受信がある場合（Ｓ２４：ＹＥＳ）、対向局でのＤＭ測定が終了したことから、測定制御部１１はＳ２０へ処理を戻す。
【００７９】
ＤＭ処理開始のＤＭデータの受信がない場合（Ｓ２０：ＮＯ）、測定制御部１１は、上位装置２０からの遅延測定指示である、ＤＭ測定開始要求の有無を判定する（Ｓ２５）。ＤＭ測定開始要求が無い場合（Ｓ２５：ＮＯ）、測定制御部１１はＳ２０へ処理を戻して待機する。この待機中は、ＤＭ測定を行わないことから、抽出部１６より抽出されたフレームのＤＭビットの値が、送信フレームのＤＭビットに設定され、ループバックされる。
【００８０】
ＤＭ測定開始要求がある場合（Ｓ２５：ＹＥＳ）、測定制御部１１は、セレクター１３でのＤＭビットのループバックを解除させる（Ｓ２６）。次いで、測定制御部１１は、対向局にＤＭ処理開始を通知する（Ｓ２７）。具体的には、測定制御部１１は、ＤＭ開始パターンを含むＤＭデータを対向局である対向装置１０Ａに送信させる。
【００８１】
次いで、測定制御部１１は、対向局より、ＤＭ処理開始のＤＭデータの受信の有無を判定する（Ｓ２８）。ここで、ＤＭ処理開始のＤＭデータの受信がある場合（Ｓ２８：ＹＥＳ）、自局と対向局とでＤＭ測定が競合する可能性があることとなる。したがって、ＤＭ処理開始のＤＭデータの受信がある場合（Ｓ２８：ＹＥＳ）、測定制御部１１は、受信したＤＭデータのユニット番号をもとに、優先度が自局優先であるか否かを判定する（Ｓ２９）。
【００８２】
自局優先である場合（Ｓ２９：ＹＥＳ）、測定制御部１１は、自局におけるＤＭ測定を開始するため、Ｓ３４へ処理を進める。
【００８３】
自局優先でない場合（Ｓ２９：ＮＯ）、測定制御部１１は、Ｓ２１と同様、セレクター１３でのＤＭビットのループバックを解除させる。そして、測定制御部１１は、対向局に、ＤＭ処理開始のＤＭデータに対するＡｃｋを通知する（Ｓ３０）。
【００８４】
次いで、測定制御部１１は、対向局よりループバック要求の受信があったか否かを判定する（Ｓ３１）。対向局よりループバック要求の受信がない場合（Ｓ３１：ＮＯ）、測定制御部１１は処理を待機する。
【００８５】
対向局よりループバック要求の受信がある場合（Ｓ３１：ＹＥＳ）、測定制御部１１は、セレクター１３でのＤＭビットのループバックを実施する（Ｓ３２）。これにより、優先度の高い対向局の対向装置１０ＡではＤＭ測定を行うことができる。
【００８６】
次いで、測定制御部１１は、対向局からＤＭ処理終了のＤＭデータの受信の有無を判定する（Ｓ３３）。ＤＭ処理終了のＤＭデータの受信がない場合（Ｓ３３：ＮＯ）、対向局でのＤＭ測定が継続中であることから、測定制御部１１は処理を待機する。ＤＭ処理終了のＤＭデータの受信がある場合（Ｓ３３：ＹＥＳ）、対向局でのＤＭ測定が終了したことから、測定制御部１１はＳ３４へ処理を進める。
【００８７】
Ｓ３４において、測定制御部１１は、対向局よりＡｃｋデータの受信があったか否かを判定する。具体的には、測定制御部１１は、受信したＤＭデータがＡｃｋパターンを含むか否かを判定する。
【００８８】
対向局よりＡｃｋデータの受信がない場合（Ｓ３４：ＮＯ）、測定制御部１１は、受信したＤＭデータのユニット識別情報をもとに、自局からのＤＭ処理開始を受信したか否かを判定する（Ｓ３５）。
【００８９】
自局からのＤＭ処理開始を受信していない場合（Ｓ３５：ＮＯ）、測定制御部１１は、Ｓ２７に処理を戻す。これにより、伝送装置１０では、対向局よりＡｃｋデータの受信があるまでＤＭ処理開始の通知を継続する。
【００９０】
また、自局からのＤＭ処理開始を受信した場合（Ｓ３５：ＹＥＳ）、対向局である対向装置１０Ａは、ＤＭ処理開始に対するＡｃｋを行ってＤＭ測定を開始する動作について未対応である。したがって、測定制御部１１は、Ｓ３８へ処理を進めて、ＤＭ測定を開始する。
【００９１】
対向局よりＡｃｋデータの受信がある場合（Ｓ３４：ＹＥＳ）、測定制御部１１は、対向局にループバック要求を通知する（Ｓ３６）。具体的には、測定制御部１１は、ループバック要求パターンを含むＤＭデータを対向局である対向装置１０Ａに送信させる。
【００９２】
次いで、測定制御部１１は、受信したＤＭデータのユニット識別情報をもとに、自局からのループバック要求を受信したか否かを判定する（Ｓ３７）。自局からのループバック要求を受信していない場合（Ｓ３７：ＮＯ）、測定制御部１１は、Ｓ３６へ処理を戻して、対向局へのループバック要求の通知を継続する。
【００９３】
自局からのループバック要求を受信した場合（Ｓ３７：ＹＥＳ）、測定制御部１１は、自局からのループバック要求が対向局を経て自局に戻ったことから、ＤＭ測定を開始するためにＳ３８へ処理を進める。
【００９４】
Ｓ３８において、測定制御部１１は、ＤＭ測定のためのＤＭデータの送信を開始させる（Ｓ３８）。次いで、測定制御部１１は、自局が受信したＤＭデータが正常なものであるか否かを判定する（Ｓ３９）。自局が受信したＤＭデータが正常なものでない場合（Ｓ３９：ＮＯ）、測定制御部１１は、Ｓ３８において送信したＤＭデータが戻ってきていないことから、処理を待機する。
【００９５】
自局が受信したＤＭデータが正常なものである場合（Ｓ３９：ＹＥＳ）、測定制御部１１は、遅延時間測定部１８が測定した遅延時間をもとに、実際の遅延時間を算出する（Ｓ４０）。
【００９６】
次いで、測定制御部１１は、対向局にＤＭ測定終了を送信させる（Ｓ４１）。具体的には、測定制御部１１は、ＤＭ終了パターンを含むＤＭデータを送信させる。次いで、測定制御部１１は、セレクター１３でのループバック（Ｌｏｏｐｂａｃｋ）を設定する（Ｓ４２）。
【００９７】
ここで、第２の実施形態にかかる伝送装置１０の動作例を各ケースに沿って説明する。まず、伝送装置１０でＤＭ測定が行われ、対向装置１０ＡではＤＭ測定が行われないケースを説明する。図９−１、図９−２は、第２の実施形態の伝送装置（１０、１０Ａ）の動作例を説明する説明図（１）、（２）である。
【００９８】
図９−１、図９−２に示すように、伝送装置１０にＤＭ測定開始要求Ｒ１がある前（Ｓ２０１）では、伝送装置１０、対向装置１０Ａにおいて送受信されるフレームＦ１のＤＭビットはループバック状態となっている。そして、フレームＦ１は、ＤＭデータの設定が行わていないことから、ＤＭビットが不定値となっている。
【００９９】
次いで、伝送装置１０は、上位装置２０からのＤＭ測定開始要求Ｒ１により、ＤＭデータに関するフレームＦ６を伝送路１０１上に順次送信する（Ｓ２０２）。ここで、複数のフレームＦ６によるＤＭデータは、制御情報、ユニット識別情報、順序番号、ＣＲＣを含むものであり、制御情報はＤＭ開始パターンとする。また、伝送装置１０では、ＤＭビットのループバックを解除する。
【０１００】
次いで、対向装置１０Ａは、ＤＭ開始パターンとしたＤＭデータに関するフレームＦ６を受信したところで、伝送装置１０がＤＭ測定を開始したことを認識する。そして、対向装置１０Ａは、ループバックを解除し、ＤＭデータに関するフレームＦ７を伝送路１０１上に順次送信する（Ｓ２０３）。ここで、複数のフレームＦ７によるＤＭデータは、制御情報、ユニット識別情報、順序番号、ＣＲＣを含むものであり、制御情報はＡｃｋパターンとする。
【０１０１】
次いで、伝送装置１０は、ＡｃｋパターンとしたＤＭデータに関するフレームＦ７を受信したところで、フレームＦ８を伝送路１０１上に順次送信する（Ｓ２０４）。ここで、複数のフレームＦ８によるＤＭデータは、制御情報、ユニット識別情報、順序番号、ＣＲＣを含むものであり、制御情報はループバック要求パターンとする。
【０１０２】
次いで、対向装置１０Ａは、ループバック要求パターンとしたＤＭデータに関するフレームＦ８を受信したところで、ＤＭビットのループバックを設定する（Ｓ２０５）。
【０１０３】
次いで、伝送装置１０は、自局が送信元であり、ループバック要求パターンとしたＤＭデータの受信をトリガとして（Ｓ２０６）、Ｓ１０２〜Ｓ１０５と同様に、ＤＭ測定を実行する（Ｓ２０７〜Ｓ２１０）。
【０１０４】
次に、伝送装置１０と、対向装置１０Ａとに、ほぼ同時にＤＭ測定開始要求Ｒ２があるケースを説明する。図１０−１、１０−２は、第２の実施形態の伝送装置（１０、１０Ａ）の動作例を説明する説明図（１）、（２）である。
【０１０５】
図１０−１、図１０−２に示すように、伝送装置１０、対向装置１０ＡにＤＭ測定開始要求Ｒ１、Ｒ２がある前（Ｓ２２０）では、伝送装置１０、対向装置１０Ａにおいて送受信されるフレームＦ１のＤＭビットはループバック状態となっている。そして、フレームＦ１は、ＤＭデータの設定が行われていないことから、ＤＭビットが不定値となっている。また、優先度は、伝送装置１０側が高く設定されているものとする。
【０１０６】
次いで、伝送装置１０と、対向装置１０Ａとは、略同時にＤＭ測定開始要求Ｒ１、Ｒ２があり、両局でＤＭ測定が開始される（Ｓ２２１）。この時、伝送装置１０は、ＤＭデータに関するフレームＦ６を伝送路１０１上に順次送信する。また、対向装置１０Ａは、ＤＭデータに関するフレームＦ９を伝送路１０１上に順次送信する。複数のフレームＦ９によるＤＭデータは、フレームＦ６と同様、制御情報はＤＭ開始パターンとする。また、伝送装置１０、対向装置１０Ａでは、ＤＭビットのループバックを解除する。
【０１０７】
ＤＭ測定を開始後、伝送装置１０には対向装置１０ＡのＤＭ開始パターンに関するフレームＦ９が届き、対向装置１０Ａには伝送装置１０のＤＭ開始パターンに関するフレームＦ６が届く（Ｓ２２２）。ここで、伝送装置１０、対向装置１０Ａの両局は、受信したＤＭデータのユニット番号をもとに、優先度を判断する。
【０１０８】
今回のケースでは、伝送装置１０の方が優先度が高く設定されていることから、伝送装置１０側のＤＭ測定が継続される。そして、対向装置１０Ａ側では、ＤＭ測定が中断されて、Ａｃｋパターンに関するフレームＦ７を伝送装置１０に送信し、ＤＭビットのループバックが設定される。以下、Ｓ２０４〜Ｓ２０９と同様に、伝送装置１０側のＤＭ測定が行われる（Ｓ２２３〜Ｓ２２８）。
【０１０９】
次いで、対向装置１０Ａは、伝送装置１０よりＤＭ測定終了の受信を確認したところで、フレームＦ９を順次送信してＤＭ測定を開始する（Ｓ２２９）。
【０１１０】
このように、伝送装置１０と対向装置１０Ａとで、同時にＤＭ測定開始要求Ｒ１、Ｒ２があったとしても、協調してＤＭ測定を開始することで、伝送装置１０からのＤＭデータのユニット識別情報をもとに優先度の高い順にＤＭ測定を行うことができる。
【０１１１】
次に、対向装置１０Ａ側が上述した動作に未対応であるケースを説明する。図１１−１、１１−２は、第２の実施形態の伝送装置（１０、１０Ａ）の動作例を説明する説明図（１）、（２）である。
【０１１２】
図１１−１、図１１−２に示すように、伝送装置１０にＤＭ測定開始要求Ｒ１がある前（Ｓ２４０）では、伝送装置１０、対向装置１０Ａにおいて送受信されるフレームＦ１のＤＭビットはループバック状態となっている。そして、フレームＦ１は、ＤＭデータの設定が行わていないことから、ＤＭビットが不定値となっている。また、対向装置１０Ａは、図８に例示した動作には未対応であるが、ＩＴＵ−Ｔ  Ｇ．７０９規格に対応した動作を行うものとする。
【０１１３】
次いで、伝送装置１０は、上位装置２０からのＤＭ測定開始要求Ｒ１により、ＤＭ開始パターンに関するフレームＦ６を伝送路１０１上に順次送信する（Ｓ２４１）。また、伝送装置１０では、ＤＭビットのループバックを解除する。
【０１１４】
対向装置１０Ａは、図８に例示した動作には未対応であることから、フレームＦ６をそのままループバックする（Ｓ２４２）。そして、伝送装置１０は、送信元が自局のフレームＦ６をそのまま受信する（Ｓ２４２）。
【０１１５】
伝送装置１０は、自局が送信したＤＭ開始パターンに関するフレームＦ６を受信した場合、対向装置１０Ａが図８に例示した動作に未対応であると判断する。このため、伝送装置１０は、Ｓ１０２〜Ｓ１０５と同様に、ＤＭ測定を実行する（Ｓ２４３〜Ｓ２４６）。したがって、対向装置１０Ａが上述した動作に未対応である場合であっても、伝送装置１０は、ＤＭ測定を行うことができる。
【０１１６】
以上のように、対向装置とフレームを送受信する伝送装置（１０、１０Ａ）は、対向装置との間の伝送遅延を測定する際に、対向装置へ所定ビットを付加したフレームを、所定ビットのビット列が所定のパターンとなるように複数送信する。そして、伝送装置（１０、１０Ａ）は、対向装置へ所定のパターンのビット列を送信したときから、所定のパターンのビット列を対向装置から受信するまでの時間を測定し、伝送遅延にかかる遅延時間を決定する。このため、対向装置と伝送装置とのノード間の伝送遅延の測定において、誤検出を抑止できる。
【符号の説明】
【０１１７】
１０…伝送装置
１０Ａ…対向装置
２０…上位装置
１１…測定制御部
１２…送信データ生成部
１３…セレクター
１４…送信部
１５…受信部
１６…抽出部
１７…パターンチェック部
１８…遅延時間測定部
１００…ネットワーク
１０１…伝送路
Ｆ１〜Ｆ９…フレーム
ＤＭ１、ＤＭ２…ＤＭデータ
Ｒ１、Ｒ２…ＤＭ測定開始要求
【図１】
2016001850.tif 000003
【図２】
2016001850.tif 000004
【図３】
2016001850.tif 000005
【図４】
2016001850.tif 000006
【図５】
2016001850.tif 000007
【図６−１】
2016001850.tif 000008
【図６−２】
2016001850.tif 000009
【図７−１】
2016001850.tif 000010
【図７−２】
2016001850.tif 000011
【図８】
2016001850.tif 000012
【図９−１】
2016001850.tif 000013
【図９−２】
2016001850.tif 000014
【図１０−１】
2016001850.tif 000015
【図１０−２】
2016001850.tif 000016
【図１１−１】
2016001850.tif 000017
【図１１−２】
2016001850.tif 000018